【手続補正書】
【提出日】平成18年6月28日(2006.6.28)
【手続補正１】
【補正対象書類名】特許請求の範囲
【補正対象項目名】全文
【補正方法】変更
【補正の内容】
【特許請求の範囲】
【請求項１】
ケージ部材内に係合され、且つファスナーを受け入れるように構成されたナット部材であって、
上面、下面、および前記上面を前記下面に接続する少なくとも１つの側壁を有したベース部分を備え、前記ベース部分は、その前記下面から外側に延びた少なくとも１つのスタンドオフを更に有し、前記少なくとも１つのスタンドオフは、前記ナット部材がファスナーを受け入れる前に、前記ナット部材とケージ部材との間の支持界面の低減された量を許容するように構成され、前記少なくとも１つのスタンドオフは更に、前記ナット部材がファスナーを受け入れるときに、前記ケージ部材に埋め込まれるように構成され、前記ベース部分は、ファスナーを受け入れるために、そこを通って延びる開口を有し、前記ナット部材は、前記ナット部材がファスナーを受け入れるときに、前記ナット部材の前記少なくとも１つのスタンドオフが前記ケージ部材に埋め込まれるように、前記ケージ部材が形成されている材料よりも硬い材料で形成されていることを特徴とするナット部材。
【請求項２】
前記ベース部分は、その前記下面から延びた４つのスタンドオフを有する請求項１に記載のナット部材。
【請求項３】
前記少なくとも１つの側壁は、前記下面の１つの隅を規定するために接するように構成された２つの側壁を規定し、前記少なくとも１つのスタンドオフは、前記下面の前記隅に設けられている請求項１に記載のナット部材。
【請求項４】
前記ベース部分は、前記下面の４隅を規定する４つの側壁と、前記下面から延びた４つのスタンドオフとを有し、各スタンドオフは、前記下面の４隅の１つから延びる請求項３に記載のナット部材。
【請求項５】
前記少なくとも１つのスタンドオフは、１つの点まで延びている請求項３に記載のナット部材。
【請求項６】
前記少なくとも１つのスタンドオフは、四面体の形状である請求項３に記載のナット部材。
【請求項７】
前記少なくとも１つの側壁は、前記下面の１つの隅を規定するために接するように構成された２つの側壁を規定し、前記少なくとも１つのスタンドオフは、前記下面の前記隅と前記開口との間の距離の少なくとも一部を延びたものである請求項１に記載のナット部材。
【請求項８】
前記ベース部分は、前記下面の４隅を規定する４つの側壁と、前記下面から延びた４つのスタンドオフとを有し、各スタンドオフは、前記下面の４隅の１つと前記開口との間の距離の少なくとも一部を延びたものである請求項７に記載のナット部材。
【請求項９】
前記少なくとも１つのスタンドオフは、丸いビーズの形状である請求項７に記載のナット部材。
【請求項１０】
前記ベース部分の上面から延びた円筒部分を更に備える請求項１に記載のナット部材。
【請求項１１】
前記ベース部分の開口は、前記円筒部分内に延びている請求項１０に記載のナット部材。
【請求項１２】
ファスナーを受け入れるように構成されたアセンブリであって、
上面、下面、および前記上面を前記下面に接続する少なくとも１つの側壁を有したベース部分を有するナット部材を備え、前記ベース部分は、その前記下面から外側に延びた少なくとも１つのスタンドオフを更に有し、前記ベース部分は、ファスナーを受け入れるために、そこを通って延びる開口を有し、また
前記ナット部材を収容するためのケージ部材を備え、このケージ部材は、前記ナット部材の少なくとも１次元に制限された移動範囲を与えるように構成され、前記ケージ部材は、前記ナット部材の開口に対し、前記ケージ部材によって与えられた前記ナット部材の制限された移動範囲内で接近可能に構成され、前記ナット部材の前記少なくとも１つのスタンドオフは、前記ナット部材がファスナーを受け入れる前に、前記ナット部材と前記ケージ部材との間の支持界面の低減された量を許容するように構成され、前記ナット部材の前記少なくとも１つのスタンドオフは、前記ナット部材がファスナーを受け入れるときに、前記ケージ部材に埋め込まれるように構成され、前記ナット部材は、前記ナット部材がファスナーを受け入れるときに、前記ナット部材の前記少なくとも１つのスタンドオフが前記ケージ部材に埋め込まれるように、前記ケージ部材が形成されている材料よりも硬い材料で形成されていることを特徴とするアセンブリ。
【請求項１３】
前記ナット部材のベース部分は、その前記下面から延びた４つのスタンドオフを有する請求項１２に記載のアセンブリ。
【請求項１４】
前記少なくとも１つの側壁は、前記下面の１つの隅を規定するために接するように構成された２つの側壁を規定し、前記少なくとも１つのスタンドオフは、前記下面の前記隅に設けられている請求項１２に記載のアセンブリ。
【請求項１５】
前記少なくとも１つの側壁は、前記下面の１つの隅を規定するために接するように構成された２つの側壁を規定し、前記少なくとも１つのスタンドオフは、前記下面の前記隅と前記開口との間の距離の少なくとも一部を延びたものである請求項１２に記載のアセンブリ。
【請求項１６】
前記ケージ部材は、ワークピースに溶接されるものであって、前記ケージ部材および前記ワークピースに対して１つの浴が適用できように構成され、前記少なくとも１つのスタンドオフは、前記浴が適用された後に、前記ナット部材が前記ケージ部材に固着されることを防止する助けになる請求項１２に記載のアセンブリ。
【請求項１７】
第１及び第２の表面並びにそこを通して設けられた開口を有したワークピースと相互作用するように構成された組み合わせナット部材、ケージ部材およびファスナーであって、
上面、下面、および前記上面を前記下面に接続する少なくとも１つの側壁を有したベース部分を有するナット部材を備え、前記ベース部分は、その前記下面から延びた少なくとも１つのスタンドオフを更に有し、前記ベース部分は、そこを通って延びる開口を有し、前記開口は、ネジ切りされた壁面を規定し、また
前記ワークピースの第１の表面に関連したケージ部材を備え、このケージ部材は、そこを通る空所を有し、前記ナット部材は、前記ケージ部材内に収容され、前記ナット部材の少なくとも１つのスタンドオフは、前記ケージ部材に埋め込まれて前記ケージ部材を変形し、さらに
大径の頭部およびそこから延びた長尺なネジ切りされたシャンクを有するファスナーを備え、前記大径の頭部は、前記ワークピースの第２の表面に関連し、前記長尺なシャンクは、前記ワークピースの開口を通して延びて、前記ナット部材のネジ切りされた壁面と螺合させられることを特徴とする組み合わせ。
【請求項１８】
前記ケージ部材は、前記ワークピースの第１の表面に溶接されている請求項１７に記載の組み合わせ。
【請求項１９】
前記ナット部材のベース部分の下面は、実質的に前記ケージ部材に接して位置決めされている請求項１７に記載の組み合わせ。
【請求項２０】
前記少なくとも１つの側壁は、前記下面の１つの隅を規定するために接するように構成された２つの側壁を規定し、前記少なくとも１つのスタンドオフは、前記下面の前記隅に設けられている請求項１７に記載の組み合わせ。
【請求項２１】
前記少なくとも１つの側壁は、前記下面の１つの隅を規定するために接するように構成された２つの側壁を規定し、前記少なくとも１つのスタンドオフは、前記下面の前記隅と前記開口との間の距離の少なくとも一部を延びたものである請求項１７に記載の組み合わせ。
【請求項２２】
前記ナット部材は、前記ナット部材の前記少なくとも１つのスタンドオフが前記ケージ部材に埋め込まれるように、前記ケージ部材が形成されている材料よりも硬い材料で形成されている請求項１８に記載の組み合わせ。
【手続補正２】
【補正対象書類名】明細書
【補正対象項目名】００４３
【補正方法】変更
【補正の内容】
【００４３】
【図１】この発明の第１実施形態に係るナットの斜視図である。
【図２】この発明の第１実施形態に係るケージナットアセンブリの斜視図である。
【図３】この発明の第１実施形態に係るケージナットアセンブリの上面図である。
【図４】この発明の第１実施形態に係るケージナットアセンブリの図３の４−４線に沿う立側断面図であり、ナットが定位置でトルクを与えられる前の状態である。
【図５】この発明の第１実施形態に係るケージナットアセンブリの図３の４−４線に沿う立側断面図であり、ナットが定位置でトルクを与えられた後、ナットが構造部材とシート取り付け部材をケージナットアセンブリに固定した状態である。
【図６】この発明の第１実施形態に係るケージナットアセンブリの図３の６−６線に沿う立側断面図であり、ナットが定位置でトルクを与えられた後、ナットが構造部材とシート取り付け部材をケージナットアセンブリに固定した状態である。
【図７】この発明の第２実施形態に係るナットの斜視図である。
【図８】この発明の第２実施形態に係るケージナットアセンブリの斜視図である。
【図９】この発明の第２実施形態に係るケージナットアセンブリの上面図である。
【図１０】この発明の第２実施形態に係るケージナットアセンブリの図９の１０−１０線に沿う立側断面図であり、ナットが定位置でトルクを与えられる前の状態である。
【図１１】この発明の第２実施形態に係るケージナットアセンブリの図９の１０−１０線に沿う立側断面図であり、ナットが定位置でトルクを与えられた後、ナットが構造部材とシート取り付け部材をケージナットアセンブリに固定した状態である。
【図１２】この発明の第２実施形態に係るケージナットアセンブリの図９の１２−１２線に沿う立側断面図であり、ナットが定位置でトルクを与えられた後、ナットが構造部材とシート取り付け部材をケージナットアセンブリに固定した状態である。
【手続補正３】
【補正対象書類名】図面
【補正対象項目名】図２
【補正方法】変更
【補正の内容】
【図２】
2006513372.tif 000001
【手続補正４】
【補正対象書類名】図面
【補正対象項目名】図３
【補正方法】変更
【補正の内容】
【図３】
2006513372.tif 000002
【手続補正５】
【補正対象書類名】図面
【補正対象項目名】図４
【補正方法】変更
【補正の内容】
【図４】
2006513372.tif 000003
【手続補正６】
【補正対象書類名】図面
【補正対象項目名】図５
【補正方法】変更
【補正の内容】
【図５】
2006513372.tif 000004
【手続補正７】
【補正対象書類名】図面
【補正対象項目名】図６
【補正方法】変更
【補正の内容】
【図６】
2006513372.tif 000005
【手続補正８】
【補正対象書類名】図面
【補正対象項目名】図８
【補正方法】変更
【補正の内容】
【図８】
2006513372.tif 000006
【手続補正９】
【補正対象書類名】図面
【補正対象項目名】図９
【補正方法】変更
【補正の内容】
【図９】
2006513372.tif 000007
【手続補正１０】
【補正対象書類名】図面
【補正対象項目名】図１０
【補正方法】変更
【補正の内容】
【図１０】
2006513372.tif 000008
【手続補正１１】
【補正対象書類名】図面
【補正対象項目名】図１１
【補正方法】変更
【補正の内容】
【図１１】
2006513372.tif 000009
【手続補正１２】
【補正対象書類名】図面
【補正対象項目名】図１２
【補正方法】変更
【補正の内容】
【図１２】
2006513372.tif 000010